(57)【要約】      （修正有）【課題】  家庭電化製品の扉を提供する。【解決手段】  家庭電化製品の扉２０のような構造パネルは、内周縁および外周縁２５を各々が有する第１および第２の枠部材を含み、内周縁の各々は開口部を画定する。枠の少なくとも１つは合成高分子材料／合成共重合体材料から構成される。ガラスパネル２１は、少なくとも１つの環状部材の内周縁と間挿関係の外周縁２５を有し、これによって前記環状部材の開口部を閉じ、また２つの枠は共に固定される。第２のガラスパネルは、その中の開口部を閉じるために他の枠と関連付けることができ、またガラスパネル２１は、互いに離間した平行関係にあり得る。代わりに、ガラスパネル２１の１つは、特に構造パネルが洗濯機の扉２０である場合に凹状／凸状関係であり得る。【選択図】  図３
2005058771.tif 000002
【特許請求の範囲】
【請求項１】
内周縁および外周縁を各々が有する第１および第２の略環状の部材であって、前記内周縁の各々が前記第１および第２の環状部材の開口部を画定し、前記第１および第２の環状部材の少なくとも１つが合成高分子材料／合成共重合体材料から実質的に構成される第１および第２の略環状の部材と、外周縁を有するガラスパネルであって、該ガラスパネルの外周縁が前記少なくとも１つの環状部材の内周縁と間挿関係にあり、これによって前記第１および第２の環状部材の開口部を閉じるガラスパネルと、前記第１および第２の環状部材を共に固定するための手段と、を備える構造パネル。
【請求項２】
前記第１および第２の環状部材の前記内周縁および前記外周縁の少なくとも１つを互いに嵌合するための手段を含む、請求項１に記載の構造パネル。
【請求項３】
前記第１および第２の環状部材の前記内周縁および前記外周縁の少なくとも１つを互いに嵌合するための手段を含み、また前記嵌合手段が、前記第１および第２の環状部材の少なくとも前記外周縁を互いに嵌合するための手段を含む、請求項１に記載の構造パネル。
【請求項４】
前記第１および第２の環状部材の前記内周縁および前記外周縁の少なくとも１つを互いに嵌合するための手段を含み、また前記嵌合手段が、前記第１および第２の環状部材の少なくとも前記内周縁を互いに嵌合するための手段を含む、請求項１に記載の構造パネル。
【請求項５】
前記第１および第２の環状部材の前記内周縁および前記外周縁の少なくとも１つを互いに嵌合するための手段を含み、また前記嵌合手段が、前記第１および第２の環状部材の前記それぞれの内周縁および外周縁を互いに嵌合するための第１および第２の嵌合手段を含む、請求項１に記載の構造パネル。
【請求項６】
前記第１および第２の環状部材の前記内周縁および前記外周縁の少なくとも１つを互いに嵌合するための手段を含み、また前記嵌合手段が、前記第１および第２の環状部材の前記内周縁および前記外周縁の少なくとも１つの周辺嵌合具によって互いに画定される、請求項１に記載の構造パネル。
【請求項７】
前記第１および第２の環状部材の前記内周縁および前記外周縁の少なくとも１つを互いに嵌合するための手段を含み、また前記嵌合手段が、前記第１および第２の環状部材の少なくとも前記外周縁の周辺嵌合具によって互いに画定される、請求項１に記載の構造パネル。
【請求項８】
前記第１および第２の環状部材の前記内周縁および前記外周縁の少なくとも１つを互いに嵌合するための手段を含み、また前記嵌合手段が、前記第１および第２の環状部材の少なくとも前記内周縁の周辺嵌合具によって互いに画定される、請求項１に記載の構造パネル。
【請求項９】
前記第１および第２の環状部材の前記内周縁および前記外周縁の少なくとも１つを互いに嵌合するための手段を含み、また前記嵌合手段が、前記第１および第２の環状部材の第１および第２の縁部それぞれの周辺嵌合具によって互いに画定される、請求項１に記載の構造パネル。
【請求項１０】
前記第１および第２の環状部材の前記内周縁および前記外周縁の少なくとも１つを互いに嵌合するための手段を含み、また前記嵌合手段が、前記第１および第２の環状部材の内縁および外縁の他方を内部に収容する前記第１および第２の環状部材の内縁および外縁の一方によって画定されたフックを含む、請求項１に記載の構造パネル。
【請求項１１】
前記第１および第２の環状部材の前記内周縁および前記外周縁の少なくとも１つを互いに嵌合するための手段を含み、また前記嵌合手段が、前記第１の環状部材の外周縁を内部に収容する前記第２の環状部材の外周縁によって画定されたフックを含む、請求項１に記載の構造パネル。
【請求項１２】
前記第１および第２の環状部材の前記内周縁および前記外周縁の少なくとも１つを互いに嵌合するための手段を含み、また前記嵌合手段が、前記第１および第２の環状部材の内周縁の間に少なくとも１つの締まり嵌め部を含む、請求項１に記載の構造パネル。
【請求項１３】
前記嵌合手段が、前記第１および第２の環状部材の内周縁および外周縁の他方の隣接する１つを内部に収容する前記第１および第２の環状部材の内周縁および外周縁の一方によって画定されたフックを含み、また前記嵌合手段が、前記第１および第２の環状部材の残りの隣接周縁の間に少なくとも１つの締まり嵌め部をさらに含む、請求項１に記載の構造パネル。
【請求項１４】
前記少なくとも１つの環状部材およびその前記内周縁が、前記合成高分子材料／合成共重合体材料によって画定された実質的にワンピースの一体的な均質の射出成形封入部である、請求項１に記載の構造パネル。
【請求項１５】
前記少なくとも１つの環状部材の内周縁が、前記合成高分子材料／合成共重合体材料によって画定された実質的にワンピースの一体的な均質の射出成形封入部である、請求項１に記載の構造パネル。
【請求項１６】
前記構造パネルが扉、蓋および窓の１つである、請求項１に記載の構造パネル。
【請求項１７】
外周縁を有する他のガラスパネルを含み、また前記他のガラスパネルの外周縁が前記第１および第２の環状部材の内周縁の他方と間挿関係にあり、これによって前記第１および第２の環状部材の開口部を閉じる、請求項１に記載の構造パネル。
【請求項１８】
外周縁を有する他のガラスパネルを含み、前記他のガラスパネルの外周縁が前記第１および第２の環状部材の内周縁の他方と固定関係にあり、これによって前記第１および第２の環状部材の開口部を閉じる、請求項１に記載の構造パネル。
【請求項１９】
外周縁を有する他のガラスパネルを含み、前記他のガラスパネルの外周縁が前記第１および第２の環状部材の内周縁の他方と付着関係にあり、これによって前記第１および第２の環状部材の開口部を閉じる、請求項１に記載の構造パネル。
【請求項２０】
前記ガラスパネルの外側に周辺ガスケット手段を含む、請求項１に記載の構造パネル。
【請求項２１】
前記少なくとも１つの環状部材によって支承された前記ガラスパネルの外側に周辺ガスケット手段を含む、請求項１に記載の構造パネル。
【請求項２２】
前記ガラスパネルの外周縁の内側の前記少なくとも１つの環状部材によって支承された前記ガラスパネルの外側に周辺ガスケット手段を含む、請求項１に記載の構造パネル。
【請求項２３】
前記固定手段がスナップ締結手段である、請求項１に記載の構造パネル。
【請求項２４】
前記ガラスパネルが略一平面である、請求項１に記載の構造パネル。
【請求項２５】
前記少なくとも１つの環状部材が、周辺本体壁部と合体し次に前記少なくとも１つの環状部材の内周縁に終端する周辺フランジを含む、請求項１に記載の構造パネル。
【請求項２６】
前記少なくとも１つの環状部材が、周辺本体壁部と合体し次に前記少なくとも１つの環状部材の内周縁に終端する周辺フランジを含み、また前記ガラスパネルが、前記周辺フランジに対し略平行の面に配置されたガラスパネル部分を含む、請求項１に記載の構造パネル。
【請求項２７】
前記少なくとも１つの環状部材が、周辺本体壁部と合体し次に前記少なくとも１つの環状部材の内周縁に終端する周辺フランジを含み、また前記ガラスパネルが略凹状／凸状の構造である、請求項１に記載の構造パネル。
【請求項２８】
前記少なくとも１つの環状部材が、周辺本体壁部と合体し次に前記少なくとも１つの環状部材の内周縁に終端する周辺フランジを含み、また前記ガラスパネルが略カップ状の構造である、請求項１に記載の構造パネル。
【請求項２９】
前記少なくとも１つの環状部材が、周辺本体壁部と合体し次に前記少なくとも１つの環状部材の内周縁に終端する周辺フランジを含み、また前記固定手段が、前記環状部材の各々によって少なくとも１つが支承されたラッチ舌部および開口部である、請求項１に記載の構造パネル。
【請求項３０】
前記最初に記載したガラスパネルおよび他のガラスパネルの少なくとも１つが略一平面である、請求項１７に記載の構造パネル。
【請求項３１】
前記最初に記載したガラスパネルおよび他のガラスパネルの少なくとも１つが略カップ状である、請求項１７に記載の構造パネル。
【請求項３２】
前記最初に記載したガラスパネルおよび他のガラスパネルの少なくとも１つが略一平面であり、また前記ガラスパネルの他方が略カップ状である、請求項１７に記載の構造パネル。
【請求項３３】
前記ガラスパネルの少なくとも１つが、その関連の環状部材の内周縁に接合される、請求項１７に記載の構造パネル。
【請求項３４】
前記ガラスパネルの少なくとも１つが、関連の環状部材の内周縁に封入される、請求項１７に記載の構造パネル。
【請求項３５】
前記ガラスパネルの少なくとも１つが、その関連の環状部材の内周縁に接合され、また前記ガラスパネルの他方が、その関連の環状部材の内周縁に封入される、請求項１７に記載の構造パネル。
【請求項３６】
前記ガラスパネルの各々が、関連の環状部材の内周縁に封入される、請求項１７に記載の構造パネル。
【請求項３７】
前記固定手段が、前記環状部材の少なくとも１つの相互ラッチ舌部および開口部を含む、請求項２４に記載の構造パネル。
【請求項３８】
前記固定手段が、前記環状部材の少なくとも１つの相互ラッチ舌部および開口部を含む、請求項２６に記載の構造パネル。
【請求項３９】
前記固定手段が、前記環状部材の少なくとも１つの相互ラッチ舌部および開口部を含む、請求項２７に記載の構造パネル。
【請求項４０】
前記固定手段が、前記環状部材の少なくとも１つの相互ラッチ舌部および開口部を含む、請求項２８に記載の構造パネル。
【請求項４１】
前記固定手段が、前記環状部材の少なくとも１つの相互ラッチ舌部および開口部を含む、請求項３０に記載の構造パネル。
【請求項４２】
前記固定手段が、前記環状部材の少なくとも１つの相互ラッチ舌部および開口部を含む、請求項３１に記載の構造パネル。
【請求項４３】
前記固定手段が、前記環状部材の少なくとも１つの相互ラッチ舌部および開口部を含む、請求項３２に記載の構造パネル。
【請求項４４】
前記固定手段が、前記環状部材の少なくとも１つの相互ラッチ舌部および開口部を含む、請求項３３に記載の構造パネル。
【請求項４５】
前記固定手段が、前記環状部材の少なくとも１つの相互ラッチ舌部および開口部を含む、請求項３４に記載の構造パネル。
【請求項４６】
前記固定手段が、前記環状部材の少なくとも１つの相互ラッチ舌部および開口部を含む、請求項３５に記載の構造パネル。
【請求項４７】
前記固定手段が、前記環状部材の少なくとも１つの相互ラッチ舌部および開口部を含む、請求項３６に記載の構造パネル。
【発明の詳細な説明】
【技術分野】
【０００１】
本発明は、機器用、特に洗濯機のような「大型家庭用品」用の扉または蓋に関するが、同様に、乾燥機、または電子レンジのような「家庭用機器」と共に利用できる。従来、洗濯機の扉は、洗濯機の内部およびその中身を見ることができるガラスパネル付きまたはなしの金属から製造されてきた。
【背景技術】
【０００２】
（特許文献１）は、ネスティングセクションから形成された円周方向環状支持体にねじによって固定された一片のガラスを各々が含む洗濯機用の従来の洗濯機の扉について記載している。このような従来の構造では、ガラスの縁部が不規則であることが非常に多く、したがって支持体に正確に嵌合できないので、別個の支持セクションによってガラスを環状支持体に固定することが非常に困難であることが確認されている。この問題および他の問題を回避するために、洗濯機の扉におけるガラス窓用の環状支持体は、共にネスティングしかつ２つの最内側フランジまたは対向部分を有する２つの相補的環状リングまたは枠から形成され、２つのリングを共に接合した後に、ガラスの円周方向外縁が前記２つのフランジまたは対向部分の間に固定される。リングは、溝またはリブと相互接続する周辺最内側および最外側のビード、突出部またはリブによって共に接合される。したがって、洗濯機の扉は、互いにスナップ固定される２つの別個の環状リングおよび一片のガラスから本質的に構成される。
【０００３】
（特許文献２）は、従来技術の２つのプラスチックリングを含む衣類洗濯機の扉の存在を認識しているが、これらのプラスチックリングは本開示に完全に存在せず、代わりに、洗濯機の扉は、ヒンジおよびキャッチが接着される中央壁部部材によって画定される。扉全体は透明の材料から製造されるので、ヒンジおよびキャッチ構成要素が外側から見えることを防止するために、ヒンジおよびキャッチが取り付けられる壁部部材の部分に不透明の材料層が適用される。
【０００４】
（特許文献３）は、例えばガラス製の中央透明部分を有する円形状の扉を開くことによってアクセス可能である前部円形アクセス開口部付きのキャビネットを有するドラム式洗濯機を開示している。扉構造の詳細は概略的に示されているに過ぎず、また説明されていない。
【０００５】
（特許文献４）は、洗濯機内部を見ることを可能にする前枠およびガロースフレームにスナップ組立体によって固定されるたいていはプラスチック製の透明カバーを有する従来の扉を開示している。これは、（特許文献３）の概略的に例示された扉の代表的な例であろう。
【０００６】
（特許文献５）は、スリーブ状の周辺窓部分を有する比較的旧式の洗濯機の扉についての例であり、ガラスパネルの縁部は金属製扉構造体に固定される。共にねじ留めまたはボルト締めされた列挙可能な金属製構成要素から製造されたガラス窓を有する金属製洗濯機の扉は当業界ではごく一般的であり、多くの同一の不都合を共有し、その中の最も顕著な不都合は、高い製造コストおよび使用時の避け難い錆びとそれに伴う漏れである。
【０００７】
（特許文献６）は、環状前部とより小さな直径の内側または後方に傾斜する背部とを有し、いくつかのモデルでは、使用者が洗濯動作を見ることを可能にする透明な窓を有する前部装入型洗濯機の扉を開示している。この特許は、透明な窓の縁部と扉の傾斜背部の内側縁部内の番号が付されていないＣ字状チャネルとの間の周辺相互接続部を開示しているが、それについて記載していない。
【０００８】
（特許文献７）および（特許文献８）の各々はオーブンの扉構造に関するが、２つのガラスパネルを利用する多くの扉構造の例として本明細書に含まれる。
【０００９】
（特許文献９）は、ドアガラスシールまたはガスケットを用いてリングに一体化された窓を含む前部装入型ガラスドアを有する衣類乾燥機を開示している。
【００１０】
本発明の調査中に展開されたいくつかの他の特許は、最新技術を反映するものとして本明細書に記載される。
【００１１】
（特許文献１０）  グラッサー（Ｇｌａｓｓｅｒ）
（特許文献１１）  ポール（Ｐａｕｌ）
（特許文献１２）  リーブス（Ｒｅｅｖｅｓ）
（特許文献１３）  グラッシー（Ｇｌａｓｓｅｙ）
（特許文献１４）  アンドリュース（Ａｎｄｒｅｗｓ）ら
（特許文献１５）  デービス（Ｄａｖｉｓ）ら
（特許文献１６）  ロッツ（Ｌｏｔｚ）ら
（特許文献１７）  ザイデル（Ｓｅｉｄｅｌ）
（特許文献１８）  ポンペイ（Ｐｏｍｐｅｉ）ら
（特許文献１９）  タカギ（Ｔａｋａｇｉ）ら
（特許文献２０）  イケダ（Ｉｋｅｄａ）
（特許文献２１）  サルビ（Ｓａｌｖｉ）
（特許文献２２）  フォーレル（Ｆａｕｒｅｌ）ら
（特許文献２３）  アーノルド（Ａｒｎｏｌｄ）ら
（特許文献２４）  ボンジニ（Ｂｏｎｇｉｎｉ）ら
（特許文献２５）  デービス（Ｄａｖｉｓ）ら
（特許文献２６）  マーティノー（Ｍａｒｔｉｎｅａｕ）
（特許文献２７）  オーガストソン（Ａｕｇｕｓｔｓｓｏｎ）
（特許文献２８）  バーン（Ｂｙｒｎｅ）
【特許文献１】英国特許出願第２１１８５８０号明細書
【特許文献２】英国特許出願第２２９４６９８Ａ号明細書
【特許文献３】米国特許第６,５３９,７５３Ｂ１号明細書
【特許文献４】米国特許出願公開第２００３/００４６９６４Ａ１号明細書
【特許文献５】米国特許第３,２７６,２２９号明細書
【特許文献６】米国特許第６,２５６,８２３Ｂ１号明細書
【特許文献７】米国特許第２,３９４,１７６号明細書
【特許文献８】米国特許第３,４８９,１３５号明細書
【特許文献９】米国特許第４,９３４,５５９号明細書
【特許文献１０】再発行米国特許第Ｒｅ．１９,７５２号明細書
【特許文献１１】米国特許第２,１４０,４３３号明細書
【特許文献１２】米国特許第２,５８０,９５７号明細書
【特許文献１３】米国特許第２,６５０,４９０号明細書
【特許文献１４】米国特許第３,３６７,７３０号明細書
【特許文献１５】米国特許第３,３８４,０７２号明細書
【特許文献１６】米国特許第３,８７７,４６０号明細書
【特許文献１７】米国特許第４,０３３,３２２号明細書
【特許文献１８】米国特許第４,３６４,５３３号明細書
【特許文献１９】米国特許第４,４０３,１２８号明細書
【特許文献２０】米国特許第４,５２２,３１１号明細書
【特許文献２１】米国特許第４,８９２,０８５号明細書
【特許文献２２】米国特許第５,０２２,３８０号明細書
【特許文献２３】米国特許第５,４９６,１０４号明細書
【特許文献２４】米国特許第５,５７０,５９７号明細書
【特許文献２５】米国特許第５,８８１,７１０号明細書
【特許文献２６】米国特許第６,１３５,１３０号明細書
【特許文献２７】米国特許第６,４４２,９８１Ｂ１号明細書
【特許文献２８】米国特許第６,５０８,０８５Ｂ１号明細書
【発明の開示】
【課題を解決するための手段】
【００１２】
本発明は、具体的には、洗濯機用の洗濯機の扉に関するが、上述の従来の扉および記載した特許の扉と異なり、本発明の洗濯機の扉は、強化ガラスから構成された透明なパネルと、合成高分子プラスチック材料／合成共重合体プラスチック材料から構成された開口枠の境界部または封入部とを含む。強化ガラスの外周縁は、枠の境界部または封入部の最内側縁部をその強化ガラスの外周縁に射出成形し、また枠の周辺フランジには、適切なヒンジ、キャッチおよび周辺シールが設けられる。第２の最外側枠は、洗濯機の扉の美観に寄与する外観をもたらす内枠のフランジに対し上に重なる関係で固定される。２つの枠の各々は高分子プラスチック材料／共重合体プラスチック材料から製造されることが好ましく、共にスナップ固定されることが好ましいが、外枠は板金等から同様に製造でき、ねじ、ボルトおよびナット等のような従来の締結体によって内枠に固定できる。
【００１３】
特に、強化ガラスが封止された高分子／共重合体の２つの枠または境界部から構成される場合、この洗濯機の扉により、漏れに強く、錆びに強く、廉価なメンテナンスをもたらし、また適度なコストで比類のない美観が達成される実質的に頑丈な洗濯機の扉が得られる。
【００１４】
さらに本発明によれば、洗濯機の扉には、射出成形周縁封入部を通して好ましくは第２のガラスパネルに一体化される最外側枠によって支承された前記第２のガラスパネルを設けることが可能である。この場合、内枠とそのガラスパネルおよび外枠とそのガラスパネルの各々は一体の構造体であり、この構造体は、容易に、迅速にかつ安価に互いに固定でき、またガスケットおよび／または乾燥剤の交換のために必要な場合には分解できる。
【００１５】
さらに本発明によれば、洗濯機の扉は内枠および外枠から同様に構成することも可能であり、内枠には、凹状／凸状の部片またはパネルのガラス縁部が封止されており、一方、外枠は、平坦な部片のガラス縁部が接着される内側フランジを有する。凹状／凸状ガラスにより、洗濯機内側に目を行き渡らせることができるだけでなく、衣類が洗濯されているときに衣類に対する回転動作が可能になる。
【００１６】
以下に明らかになる上述および他の目的を考慮して、以下の詳細な説明、添付された特許請求の範囲、および添付図に例示した複数の図面を参照することによって、本発明の本質がより明確に理解されるであろう。
【発明を実施するための最良の形態】
【００１７】
洗濯機１０が図面の図１に示されており、また従来の１対のヒンジ１４によって本発明の新規な洗濯機の扉または蓋２０がヒンジ結合される内側タブまたは室１２を有する従来の洗濯機本体１１を含む。従来の撹拌器（図示せず）はタブまたは室１２に装着され、衣類洗濯サイクル中に従来式に円弧状に往復運動する。
【００１８】
洗濯機の扉２０は、３つの主な構成要素、すなわち、強化ガラスパネル２１、内枠封入部または境界部３０および外枠封入部または境界部５０を含む。
【００１９】
強化ガラスパネル２１は、略連続的な周縁２２によって画定された所定の周辺構造である。ガラスパネル２１は、さらに、周縁２２によってブリッジされた反対側の内面および外面２３、２４それぞれを含む（図３と図４）。ガラスまたはガラスパネル２１の部片の最外側周縁部分２５は、周縁２２と、反対側の内面および外面２３、２４それぞれの直接隣接した表面部分（番号なし）とによって画定される。
【００２０】
開口内枠封入部または境界部３０は、合成高分子プラスチック材料／合成共重合体プラスチック材料の射出成形されたワンピースの環状部材として形成され、また外周部分と、周辺スカートまたは周辺壁部３１と、ガラスパネル２１の外周縁部２５全体を封止する最内側部分３２と、最外側周辺フランジ３３と、周辺本体壁部３４とを含む。周辺本体壁部３４は、丸み部分または丸み壁部３５の内周部分３２と調和し、同様に、周辺丸み部分または丸み壁部３６の周辺フランジ３３と調和または合体する。
【００２１】
軸方向外側に突出する周辺壁部３７（図３〜図５）は本体壁部３４の延長部であり、周辺フランジ３３を越えて軸方向外側にかつ周辺フランジに対し略垂直に突出し（図５）、また同一の複数のラッチまたは固定タブまたは指部３８（図２、図５および図６）が、周辺で互いに離間した関係で前記周辺フランジから突出しており、前記タブまたは指部の各々は、略多角形のラッチ開口部、スロットまたはアパーチャ４１を有する。枠または環状部材３０の周辺フランジ３３は、概して内側方向に開くＵ字状壁部４３の底部（番号なし）に沿って複数の離間スロット４４（図２）が設けられた前記Ｕ字状壁部によって画定された内側方向に開く略連続的なチャネル４２（図３）を含み、また隣接スロット４４の間には、内側方向に開く略Ｕ字状壁部４５（図２）がある。チャネル４２の構造に対応するシールガスケット６０（図２）はチャネルに着座され、シールガスケット６０の部分６１はスロット４４を通して強制され、これによって、シールガスケット６０をチャネル４２内に着座保持し、シールガスケット６０のガスケットシール面６５は、洗濯機の扉２０（図１）の閉位置において、洗濯機本体１１の外面（番号なし）の周辺に接触しかつそれに対しシールするように位置決めされて、洗濯サイクル中の水漏れを防止する。
【００２２】
内枠３０の周辺スカートまたは周辺壁部３１は、図１と図２の参照番号６９で適切に示されているように、扉２０の上縁および側縁（図１では番号なし）に沿って周辺フランジ３３に対し略垂直に配置されるが、底縁では、周辺壁部３１の部分７０（図２と図３）は底縁から約４５度の角度で上方にまた外側方向に先細りする。
【００２３】
外枠または環状部材５０は環状壁部５１、外周壁部５２および内周壁部５３を含む。外周壁部５２は扉２０の上縁および側縁（番号なし）に沿って環状壁部５１に対し略垂直であるが、底縁では、壁部５４（図３）は内側方向に開くフック内に形成され、このフックは内枠３０の底壁部分７０（図３）に係合して、この底壁部分と共に、使用者が把持して扉２０を開閉できるその扉２０の底部に沿って走る指部把持領域ＦＧ（図３）を画定する。外枠５０の内周壁部５３は８対のラッチ歯部、タブまたは舌部５５（図５と図６）を含み、これらは、図面の図５と図６に最善に示したように内枠部材３０の多角形ラッチ開口部４１の各々に対になって係合し、内枠および外枠３０、５０をスナップ固定の組立関係にそれぞれ維持する。それぞれの内枠および外枠３０、５０の壁部３７、５３（図５）は段付きであり、内枠３０の周辺本体壁部３４の外面（番号なし）と外枠５０の内周壁部５３との間の平滑な移行を提供することが好ましい。外枠５０の材料は好ましくは比較的弾性の高分子材料／共重合体材料であるが、板金でもよいので、ガスケット６０の修理／交換に必要であり得るように、溝４１から対の舌部または切欠部５５を徐々に係合解除して枠３０、５０を分解する程度に十分に内周壁部５３を撓めるかまたは曲げるために、ねじ回しのブレードＢ（図５）のような工具をそれぞれの内枠および外枠３０、５０の壁部３４、５３の接合部（番号なし）に挿入できる。さらに、外枠５０の環状壁部５１はＵ字状壁部またはチャネル４５に位置し、これらによって支持されて、洗濯機の扉２０全体に対しさらなる剛性／完全性を付与する。
【００２４】
図面の図７〜図９、および内側タブまたは室１２’を有する従来の洗濯機本体１１’と、洗濯機の扉または蓋２０’とを含む他の洗濯機１０’（図７）を参照する。洗濯機１０の構造と同一である洗濯機１０’のすべての構造には、ダッシュ（’）が付され、これによって、このような同一の構造を洗濯機１０’およびその洗濯機の扉２０’の記載に参照して組み込んでいる。
【００２５】
洗濯機の扉２０’は、３つの主な構成要素、すなわち、強化ガラスパネル２１’、内枠封入部または境界部３０’、および外枠境界部の環状部材または封入部５０’を含む。外枠５０’は環状フランジ５１’、外周フランジまたはスカート５２’および内周壁部５３’を含む（図９）。内周壁部５３’は、洗濯機の扉２０（図５）のそれぞれの舌部および開口部５５、４１それぞれに対応する対のラッチ舌部またはタブおよび多角形開口部（簡明性のため図示せず）によって、内枠３０’の内周壁部３７’（図示せず）にスナップ固定される。しかし、外枠５０’は合成高分子プラスチック材料／合成共重合体プラスチック材料の一体的な射出成形封入部として形成され、また外周壁部および内周壁部８１、８２それぞれを含む周縁封入部８０を含み、前記壁部の間には、強化ガラス８５の部片またはパネルの最外側周縁８６が封止され、この最外側周縁は、ガラスパネル２１’、本体壁部３４’および曲面３６’と共に空洞または室Ｃ’（図８）を画定し、前記空洞または室を通して、洗濯機タブまたは室１２’の内部およびそれらの中の衣類を見ることができる。
【００２６】
ガラスパネル２１’、８５の内面（番号なし）が使用時に曇るのを防止するために、幾分大きなＯリングの形状の乾燥剤材料の周辺環状バンド８７が、内枠３０’および外枠５０’それぞれの射出成形時に一体形成される円周方向の対向突出部８８、８９に形成された対向溝（番号なし）の間に間挿関係で保持される。室Ｃ’内の湿潤空気は、周辺壁部３７’、５３’（図９）と、図５に示した構造体に対応する前記周辺壁部に関連するそれぞれのラッチ開口部およびタブ（図示せず）との間の間隙または空間を通して容易に移動する。必要または望ましいと考えられる場合、追加の空気通過開口部をそれぞれの内枠および外枠３０’、５０’の周辺壁部３７’、５３’に形成して、空気通過を行うことができる。乾燥剤のＯ状リングまたはバンド８７は、突出部８８、８９のチャネル（番号なし）の一方または両方にスナップ嵌合または接着接合することもできる。
【００２７】
図面の図１０と図１１、および本発明に従って構成された他の洗濯機の扉または蓋２０”を参照する。洗濯機の扉２０、２０’と同一である洗濯機の扉２０”のすべての構造には、ダブルダッシュ（”）が付され、これによって、このような同一の構造を洗濯機の扉２０”の記載に参照して組み込んでいる。
【００２８】
洗濯機の扉２０”は、３つの主な構成要素、すなわち、強化ガラスパネル２１”、内枠封入部または境界部３０”、および外枠境界部の環状部材または封入部５０”を含む。外枠５０”は環状フランジ５１”、外周壁部またはスカート５２”および内周壁部５３”を含む（図９）。内周壁部５３”は、洗濯機の扉２０（図５）のそれぞれの舌部および開口部５５、４１それぞれに対応する対のラッチ舌部またはタブおよび多角形開口部（簡明性のため図示せず）によって、内枠３０”の内周壁部３７”にスナップ固定される。しかし、外枠５０”は合成高分子プラスチック材料／合成共重合体プラスチック材料の一体的な射出成形封入部として形成され、また強化ガラス８５”の部片またはパネルの最外側周縁８６”が着座される内周壁部８２”を含む封止周縁８０”を含み、前記最外側周縁は、ガラスパネル２１”、本体壁部３４”および曲面３６”と共に空洞または室Ｃ”（図１０）を画定し、前記空洞または室を通して、関連の洗濯機タブまたは室の内部およびそれらの中の衣類を見ることができる。
【００２９】
ガラスパネル２１”、８５”の内面（番号なし）が使用時に曇るのを防止するために、幾分大きなＯリングの形状の乾燥剤材料の周辺環状バンド８７”が、内枠３０”および外枠５０”の射出成形時に一体形成される円周方向の対向突出部８８”、８９”に形成された対向溝（番号なし）の間に間挿関係で保持される。室Ｃ”内の湿潤空気は、周辺壁部３７”、５３”と、図５に示した構造体に対応する前記周辺壁部に関連するそれぞれのラッチ開口部およびタブ（図示せず）との間の間隙または空間を通して容易に移動する。必要または望ましいと考えられる場合、追加の空気通過開口部をそれぞれの内枠および外枠３０”、５０”の周辺壁部３７”、５３”に形成して、空気通過を行うことができる。乾燥剤のＯ状リングまたはバンド８７”は、突出部８８”、８９”のチャネル（番号なし）の一方または両方にスナップ嵌合または接着接合することもできる。
【００３０】
図面の図１２、および本発明に従って構成された他の洗濯機の扉または蓋２０’’’を参照する。洗濯機の扉２０、２０’と２０”と同一である洗濯機の扉２０’’’のすべての構造には、トリプルダッシュ（’’’）が付され、これによって、このような同一の構造を洗濯機２０’’’の記載に参照して組み込んでいる。
【００３１】
洗濯機の扉２０’’’は、３つの主な構成要素、すなわち、強化ガラスパネル２１’’’、内枠封入部または境界部３０’’’、および外枠境界部の環状部材または封入部５０’’’を含む。外枠５０’’’は環状フランジ５１’’’、外周スカート５２’’’および内周壁部５３’’’を含む。内周壁部５３’’’は、洗濯機の扉２０（図５）のそれぞれの舌部および開口部５５、４１それぞれに対応する対のラッチ舌部またはタブおよび多角形開口部（簡明性のため図示せず）によって、内枠３０’’’の内周壁部３７’’’にスナップ固定される。しかし、外枠５０’’’は合成高分子プラスチック材料／合成共重合体プラスチック材料の一体的な射出成形封入部として形成され、また強化ガラス８５’’’の部片またはパネルの最外側周縁８６’’’が着座される内周壁部８２’’’を含む周縁８０’’’を含み、前記最外側周縁は、ガラスパネル２１’’’、本体壁部３４’’’および曲面３６’’’と共に空洞または室Ｃ’’’を画定し、前記空洞または室を通して、関連の洗濯機タブまたは室の内部およびそれらの中の衣類を見ることができる。強化ガラス２１’’’の部片またはパネルは、基部９１と、部分的に室Ｃ’’’を画定する周辺壁部９２とによって画定されたカップ状構造である。ガラスパネル２１’’’のカップ形状および曲面または曲面部分３６”（図１０）の欠如を除いて、洗濯機の扉２０’’’は洗濯機の扉２０”の構造および機能または図１０と図１１と同一である。
【００３２】
洗濯機の扉２０（図１〜図７）、２０’（図８、図９）、２０”（図１０、図１１）および２０’’’（図１２）の各々は、共通に、内側環状部材または枠３０、３０’、３０”および３０’’’の射出成形中に形成された周縁封入部分３２、３２’、３２”および３２’’’によって封止された最外側周縁２５、２５’、２５”および２５’’’を有する強化ガラス２１、２１’、２１”および２１’’’の少なくとも１つの部片またはパネルを含む。さらに、外枠または環状部材５０、５０’、５０”および５０’’’は、一体的なワンピース射出成形構成要素として構成されることが好ましいが、環状部材または境界部５０（図１〜図７）、５０”および５０’’’は板金のような金属材料から構成できる。このような構造では、内枠および外枠または環状部材３０、３０”、３０’’’と５０、５０”、５０’’’を互いにそれぞれ締結するために、金属からブランク加工、曲げ加工および／または打出し加工されたタブまたは舌部５５および開口部４１（図５と図６）を利用できるか、あるいはその代わりに、ねじのような従来の締結体Ｆ（図１）を代わりにまたは追加して使用できる。ガラスを金属ならびに合成プラスチック材料に接合するために、適切な接着剤Ａが従来知られている。したがって、美観、コスト、製造業者および／または最終消費者の要求に応じて、外側環状部材または境界部５０、５０”および５０’’’を板金または同様の金属材料から構成でき、これに対し、このようなことは、封止縁部８０を含むワンピース射出成形境界部５０’を明らかに含む外側環状部材の境界部または枠５０’（図８と図９）については行うことができない。
【００３３】
本発明の好ましい実施態様について、本明細書に具体的に例示かつ説明してきたが、添付された特許請求の範囲に記載されているように、本発明の精神と範囲から逸脱することなく、様々な洗濯機の扉に小さな変更をなし得ることを理解すべきである。
【図面の簡単な説明】
【００３４】
【図１】部分正面斜視図であり、開口部にヒンジ結合される本発明の洗濯機の扉または蓋によって閉じられる前記開口部を有する洗濯機を示しており、外枠は、高分子プラスチック材料／共重合体プラスチック材料の内枠の内周に対し周辺が封止された強化ガラスパネルを通して洗濯機内の衣類を見ることができる開口部を画定する。
【図２】分解図であり、内枠および外枠とそれらの組立体の前のガスケットとを示している。
【図３】概して図１の線３−３に沿った拡大断面図であり、内枠と外枠との互いの関係およびそれらの組立体を示している。
【図４】概して図３の線４−４に沿った断面図であり、外枠および内枠を共にスナップ固定するためのそれらのそれぞれの内側壁部によって支承されたフックおよびスロットを示している。
【図５】図４の包囲部分の拡大部分図であり、内枠の内壁のスロットに収容された外枠の内壁の１対のフックまたは舌部を示している。
【図６】概して図５の線６−６に沿った部分断面図であり、１対のフックまたは舌部と関連スロットとの間の連動接続部の詳細を示している。
【図７】他の洗濯機の部分斜視図であり、洗濯機の閉位置における本発明の他の扉を示している。
【図８】概して図７の線８−８に沿った拡大断面図であり、互いにスナップ固定された洗濯機の扉の内枠および外枠を示しており、各枠は、射出成形によって強化ガラスパネルの関連周縁に対し封止された最内側周縁を有する。
【図９】図８の包囲部分の拡大部分図であり、包囲部分の詳細を示している。
【図１０】図８と同様の本発明における他の洗濯機の扉の断面図であるが、強化ガラスパネルが接合されている外枠を示している。
【図１１】図１０の包囲部分の部分拡大図であり、包囲部分の詳細を示している。
【図１２】図８と図１０の洗濯機の扉と同様の本発明における他の洗濯機の扉の断面図であり、射出成形によって洗濯機の扉の内枠に対し封止された縁部と、洗濯機の扉の外枠に接合された平坦な外側強化ガラスパネルとを有する強化ガラスの凹状／凸状部片を示している。
【符号の説明】
【００３５】
１０  洗濯機
１０’  洗濯機
１１  洗濯機本体
１１’  洗濯機本体
１２  内側タブまたは室
１２’  内側タブまたは室
１４  ヒンジ
２０  洗濯機の扉または蓋
２０’  洗濯機の扉または蓋
２０”  洗濯機の扉または蓋
２０’’’  洗濯機の扉または蓋
２１  強化ガラスパネル、ガラスパネル
２１’  強化ガラスパネル、ガラスパネル
２１”  強化ガラスパネル、ガラスパネル
２１’’’  強化ガラスパネル、ガラスパネル
２２  周縁
２３  内面
２４  外面
２５  最外側周縁部分
２５’  最外側周縁
２５”  最外側周縁
２５’’’  最外側周縁
３０  内枠封入部または境界部、開口内枠封入部または境界部、内側環状部材または枠、内枠部材
３０’  内枠封入部または境界部、内側環状部材または枠
３０”  内枠封入部または境界部、内側環状部材または枠
３０’’’  内枠封入部または境界部、内側環状部材または枠
３１  周辺スカートまたは周辺壁部
３２  最内側部分、周縁封入部分
３２’  周縁封入部分
３２”  周縁封入部分
３２’’’  周縁封入部分
３３  最外側周辺フランジ
３４  周辺本体壁部
３４’  本体壁部
３４”  本体壁部
３４’’’  本体壁部
３５  丸み部分または丸み壁部
３６  周辺丸み部分または丸み壁部
３６’  丸み部
３６”  丸み部
３６’’’  丸み部
３７  周辺壁部
３７’  内周壁部、周辺壁部
３７”  内周壁部、周辺壁部
３７’’’  内周壁部、周辺壁部
３８  ラッチまたは固定タブまたは指部
４１  ラッチ開口部、スロットまたはアパーチャ
４２  チャネル
４３  Ｕ字状壁部
４４  離間スロット
４５  略Ｕ字状壁部
５０  外枠封入部または境界部、外枠または環状部材、外側環状部材または境界部
５０’  外枠境界部の環状部材または封入部、外枠または環状部材、
５０”  外枠境界部の環状部材または封入部、外枠または環状部材、外側環状部材または境界部
５０’’’  外枠境界部の環状部材または封入部、外枠または環状部材、外側環状部材または境界部
５１  環状壁部
５１’  環状フランジ
５１”  環状フランジ
５１’’’  環状フランジ
５２  外周壁部
５２’  外周フランジまたはスカート
５２”  外周壁部またはスカート
５２’’’  外周スカート
５３  内周壁部
５３’  内周壁部、周辺壁部
５３”  内周壁部、周辺壁部
５３’’’  内周壁部
５４  壁部
５５  ラッチ歯部、タブまたは舌部
６０  シールガスケット
６１  部分
６５  ガスケットシール面
７０  底壁部分
８０  周縁封入部
８０”  周縁封入部
８０’’’  周縁
８１  外周壁部
８２  内周壁部
８２”  内周壁部
８２’’’  内周壁部
８５  強化ガラス
８５”  強化ガラス
８５’’’  強化ガラス
８６  最外側周縁
８６”  最外側周縁
８６’’’  最外側周縁
８７  周辺環状バンド
８７”  周辺環状バンド
８８  円周方向の対向突出部
８８”  円周方向の対向突出部
８９  円周方向の対向突出部
８９”  円周方向の対向突出部
９１  基部
９２  周辺壁部
Ａ  接着剤
Ｂ  ブレード
Ｃ’  空洞または室
Ｃ”  空洞または室
Ｃ’’’  空洞または室
Ｆ  従来の締結体
ＦＧ  指部把持領域
【図１】
2005058771.tif 000003
【図２】
2005058771.tif 000004
【図３】
2005058771.tif 000005
【図４】
2005058771.tif 000006
【図５】
2005058771.tif 000007
【図６】
2005058771.tif 000008
【図７】
2005058771.tif 000009
【図８】
2005058771.tif 000010
【図９】
2005058771.tif 000011
【図１０】
2005058771.tif 000012
【図１１】
2005058771.tif 000013
【図１２】
2005058771.tif 000014
【外国語明細書】
2005058771000001.pdf